(57)【特許請求の範囲】
【請求項１】
昇降自在な止水ゲート（２）に水中ポンプ（８）を支架し、この水中ポンプ（８）の上流側に配設したスクリーン（１０）を止水ゲートに連結して、止水ゲート（２）の閉じた状態で強制排水を行なうゲートポンプにおいて、上記スクリーン（１０）を立方向の多数のスクリーンバー（１０ａ）で構成し、回動自在な多数のスクレパー（１２）を水路上方の架台（１１）に設け、回動した時に前記スクレパー（１２）をスクリーンバー（１０ａ）の間に挿入させることを特徴とするスクリーン付ゲートポンプ。
【請求項２】
上記止水ゲート（２）に支架した水中ポンプ（８）を横軸軸流型の水中ポンプとしたことを特徴とする請求項１記載のスクリーン付ゲートポンプ。
【発明の詳細な説明】
【０００１】
【発明の属する技術分野】
この発明は、ゲートポンプに支架した水中ポンプを保護するために、水中ポンプの上流側に配設したスクリーンを止水ゲートに連結したゲートポンプの改良に関する。
【０００２】
【従来の技術】
従来、灌漑用や取水用水門に昇降自在に配設した止水ゲートに、水中ポンプを支架させたゲートポンプはよく知られている。また、水中ポンプの保護のためにスクリーンをゲート扉体に一体的に連結したゲートポンプ設備も、例えば、特許第２６４４８６４号公報に記載してあるように公知である。そして、この公報においてはスクリーンに付着した異物を除去するために、スクリーンの上方に自動除塵機を設けている。
【０００３】
【発明が解決しようとする課題】
しかしながら、上記従来の止水ゲートにスクリーンを連結したゲートポンプは、水中ポンプが保護されて、自然排水時にはスクリーンを止水ゲートとともに水路から待避できるものであるが、スクリーンの自動除塵機に大きい駆動装置が必要で、設備費も高くなっていた。また、水中ポンプの清掃や点検がゲート本体を大きく引き上げなければ困難で、止水ゲートの建屋も高いものが必要となっていた。この発明は、自然流下のために止水ゲートを引上げる時に、簡単な除塵装置で塵芥等の取除きを可能としたゲートポンプと、点検整備のために止水ゲートを高く引上げる必要のないゲートポンプを提供することを目的とする。
【０００４】
【課題を解決するための手段】
この発明の要旨は、昇降自在な止水ゲートに水中ポンプを支架し、この水中ポンプの上流側に配設したスクリーンを止水ゲートに連結して、止水ゲートの閉じた状態で強制排水を行なうゲートポンプにおいて、上記スクリーンを立方向の多数のスクリーンバーで構成し、回動自在な多数のスクレパーを水路上方の架台に設け、回動した時に前記スクレパーをスクリーンバーの間に挿入させるもので、スクレパーをスクリーンバーに摺接させ、ゲートポンプを上昇させればスクリーンに付着した塵芥等の取除きが可能となるもので、止水ゲートの建屋も低くて済むものである。そして、止水ゲートに支架した水中ポンプを横軸軸流型の水中ポンプとしたので、閉じた止水ゲートの水中ポンプを停止させても、上流側水路の水位が上昇すれば排水の自然流下も可能であり、止水ゲートを上昇させれば、止水ゲートに連結した水中ポンプの点検も行なえるものである。
【０００５】
【発明の実施の形態】
この発明に係るゲートポンプは上記のように構成してあり、止水ゲートを閉じた強制排水時には、水中ポンプを運転してスクリーンで塵芥等を捕捉しながら上流側水路から下流側水路へ排水させる。この水中ポンプの運転時に、スクリーンの目詰りが発生してポンプの運転水位が低下した時は、点検架台から人力でスクリーンに付着する塵芥を掻き揚げて取除けば、運転水位が上昇して強制排水を再開させることができる。そして、上流側水路の水位が上昇して下流側水路に排水の自然流下が可能となった時は、止水ゲートを閉じた状態でも、停止させた水中ポンプから排水の自然流下が行われる。また、スクレパーを回動してスクレパーをスクリーンに摺接させ、止水ゲートを上昇させれば、水中ポンプの運転中にスクリーンに付着した塵芥が、強制的にスクレパーで掻き落とされ、下流側水路に押流すことができる。止水ゲートとともに上昇した水中ポンプの点検も可能となる。
【０００６】
【実施例】
この発明の実施例を図面に基づき詳述すると、図１は水路に設置した止水ゲートの側面図であって、上流側水路１ａと下流側水路１ｂの間に止水ゲート２が設置してあり、図２に示すように、止水ゲート２のゲート扉体３が水路１に設置したゲート４、４に挟持してある。水路１の上方の架橋台５に駆動装置６が載置してあり、駆動装置６から垂下したピンラック棒７にゲート扉体３が連結してある。ゲート扉体３に横軸軸流型の水中ポンプ８が水平軸線上に連結してあり、この水中ポンプ８は、吸込口８ａを上流側水路１ａに開口し、吐出側に設けたフラップ弁９を上流側水路１ａに設けてある。そして、駆動装置６でピンラック棒７を回動してゲート扉体３と水中ポンプ８を昇降させるようにしてあり、ゲート扉体３を上昇させれば、足場等を組む必要もなく、水平状に開口した吸込口８ａから水中ポンプ８の地上での点検が行なえるものである。
【０００７】
図１及び図２に示すように、水中ポンプ８の吸込口８ａの近傍に立て方向の多数のスクリーンバー１０ａ…からなるバースクリーン１０が張設してあり、上流側水路１ａから下流側水路１ｂに強制排水させる時に、塵芥等をバースクリーン１０で捕捉するようにしてある。このバースクリーン１０はゲート扉体３に支架してあり、水中ポンプ８を連結したゲート扉体３と一緒にバースクリーン１０が水路１から昇降できるようにしてあり、上流側水路の水位が上昇して下流側水路に排水の自然流下が可能となった時は、バースクリーン１０をゲート扉体３と一緒に上昇させるようにしてある。なお、上流側水路１ａから下流側水路１ｂに自然排水させる時には、止水ゲート２を閉じた状態でも、停止させた水中ポンプ８から排水の自然流下が行われるものである。
【０００８】
先端に多数のスクレパー１２がスクレパー可動棒１３に連結してあり、この可動棒１３が水路上方の架台１１に回動自在に軸支してある。スクレパー可動棒１３を架台１１上に横倒した時に、回動するスクレパー１２がバースクリーン１０のスクリーンバー１０ａの間に挿入されるようになっている。そして、自然放水する時に、止水ゲート２を上昇させれば、吸込水路１ａ側に設置したスクレパー１２が塵芥等を掻き落とし、下流側水路１ｂから河川などに放流するようにしてある。水中ポンプ８の上方にバースクリーン１０の点検架台１４がゲート扉体３に連結してあり、水中ポンプ８の運転中にバースクリーン１０の目詰まりが発生し、水中ポンプ８の運転水位が低下した時には、スクレパー可動棒１３を起してスクレパー１２をバースクリーン１０から離反させ、熊手等を使用して人力にて塵芥を除去すれば、水中ポンプの運転水位を回復することができる。なお、バースクリーン１０の代りに金網状のスクリーンを水中ポンプ８の上流側水路１ａに配設してゲート扉体３に一体的に連結してもよいものである。
【０００９】
【発明の効果】
この発明は、上記のように構成してあり、止水ゲートとスクリーンを一体としたので、強制排水時は同時に降下し、自然排水時は同時に上昇することによりスクリーンの特別な昇降装置は不用となり、止水ゲートを上昇させるだけで、スクリーンに捕捉した塵芥等を取除くことができる。即ち、従来の止水ゲートにスクリーンを連結したゲートポンプは、スクリーンに摺接させる自動除塵機の駆動装置が大きくなり、設備費も高くなっていたものであるが、この発明にあっては、回動自在なスクレパーをスクリーンの上方に対設して、このスクレパーをスクリーンに摺接自在としたので、スクレパーをスクリーンに当接させ、止水ゲートを上昇させればスクリーンに付着した塵芥等の取除きが可能となるもので、止水ゲートの建屋も低くなり、設備費も安く済むものである。そして、止水ゲートに支架した水中ポンプを横軸軸流型の水中ポンプとしたので、閉じた止水ゲートの水中ポンプを停止させても、上流側水路の水位が上昇すれば排水の自然流下も可能であり、止水ゲートを上昇させれば、止水ゲートに連結した水中ポンプの点検も行なえるものである。
【図面の簡単な説明】
【図１】  この発明に係るスクリーン付ゲートポンプの一部縦断側面図である。
【図２】この発明に係るスクリーン付ゲートポンプの正面図である。
【符号の説明】
２  止水ゲート
８  水中ポンプ
１０  バースクリーン
１１  架台
１２  スクレパー
【図１】
0003849915.tif 000002
【図２】
0003849915.tif 000003